(57)【要約】【課題】均一な明るさを得ることができ且つ高さを抑えることが可能な、放射空調方式の天井空調照明ユニットを提供する。【解決手段】天井空調照明ユニット２は、空気が導入される内部空間１０を備えた、天井に取り付けられる空気導入ユニット１１と、内部空間１０において空気導入ユニット１１の側壁１２ｂに取り付けられた光源１９と、を有している。空気導入ユニット１１の下面は光透過膜１３ｂで形成されている。【選択図】図３
2019175725.tif 000002
【特許請求の範囲】
【請求項１】
空気が導入される内部空間を備えた、天井に取り付けられる空気導入ユニットと、前記内部空間において前記空気導入ユニットの側壁に取り付けられた光源と、を有し、前記空気導入ユニットの下面は光透過膜で形成されている、天井空調照明ユニット。
【請求項２】
前記空気導入ユニットは、前記光源を備えた本体フレームと、前記光透過膜を備えた膜フレームと、を有し、前記膜フレームは、空気吹き出し口を形成する間隙を介して前記本体フレームに取り付けられる、請求項１に記載の天井空調照明ユニット。
【請求項３】
前記膜フレームは当該膜フレームの上面に離散的に設けられた複数の固定具によって前記本体フレームに取り付けられている、請求項２に記載の天井空調照明ユニット。
【請求項４】
前記膜フレームの側壁に、バキュームダクトを接続可能で且つ開閉可能な蓋部材が設けられている、請求項２または３に記載の天井空調照明ユニット。
【請求項５】
複数の前記光源が前記本体フレームの側壁に取り付けられ、前記複数の光源の光軸の向きが調整可能である、請求項２から４のいずれか１項に記載の天井空調照明ユニット。
【請求項６】
請求項１から５のいずれか１項に記載の天井空調照明ユニットを複数個備え、
複数の前記天井空調照明ユニットが互いに隙間を介して規則的に配列されている、天井空調照明システム。
【請求項７】
前記空気導入ユニットの外部に設けられた給気ダクトを有し、前記給気ダクトは前記空気導入ユニットの上面を横断するスリット状の空気導入口を介して、前記内部空間に接続されている、請求項６に記載の天井空調照明システム。
【請求項８】
前記空気導入口を覆うメッシュ状のカバーを有している、請求項７に記載の天井空調照明システム。
【請求項９】
前記空気導入ユニットの内部に設けられ、表面に空気の吹き出し口を備える給気ダクトを有する、請求項６に記載の天井空調照明システム。
【請求項１０】
前記給気ダクトは下方に向かって幅が減少する半円形の断面形状を有している、請求項９に記載の天井空調照明システム。
【請求項１１】
前記給気ダクトの外面が白色、または前記空気導入ユニットの前記内部空間に面する面と同様の色とされている、請求項９または１０に記載の天井空調照明システム。
【請求項１２】
前記給気ダクトの前記内部空間と対向する区間の内面は鏡面とされている、請求項７から１１のいずれか１項に記載の天井空調照明システム。
【請求項１３】
前記給気ダクトの内部の前記内部空間と対向する区間にダクト内光源が設けられている、請求項７から１２のいずれか１項に記載の天井空調照明システム。
【発明の詳細な説明】
【技術分野】
【０００１】
本発明は天井空調照明ユニットと天井空調照明システムに関する。
【背景技術】
【０００２】
近年、オフィス空間などの快適性を向上させる手段のひとつとして放射空調が注目されている。放射空調は暖気や冷気を吹き出し口から直接吹き出す従来の空調システムと異なり、天井や壁等に設置した膜部材や面部材等からの放射熱（輻射熱）を利用する。このため、空間全体を均一な温度に保ちやすく、また、冷気あるいは暖気の局所的な流れが発生しにくいため、快適性が向上する。
【０００３】
特許文献１には放射空調を用いた天井空調ユニットが開示されている。空調機から供給された冷気または暖気は天井空調ユニットの内部空間に供給される。内部空間は天井空調ユニットの下面を形成する膜部材によって外部から仕切られている。冷気または暖気が内部空間に供給されることにより、膜部材を介した輻射による冷暖房が行われる。特許文献１には天井空調ユニットが照明機器を備えることも開示されている。
【先行技術文献】
【特許文献】
【０００４】
【特許文献１】特開２０１４−１３４３０１号公報
【発明の概要】
【発明が解決しようとする課題】
【０００５】
特許文献１では照明機器がどのように配置されるか開示されていないが、放射空調システムと照明機器を組み合わせた天井空調照明ユニットにおいては、光源は膜部材の上方に設置することが考えられる。この場合、膜部材は光源からの光を透過させる光透過膜とする必要がある。一方、光源は通常下向き、すなわち光軸が鉛直方向下方を向くように設置されるため、光は直接光透過膜に当り、光透過膜を通過する。この際、均一な明るさを実現するためには光透過膜で光を十分に拡散させることが必要であり、そのためには光源と光透過膜との間にある程度の間隔が必要となる。換言すれば、均一な明るさを実現するためには天井空調照明ユニットの高さの増加が必要となる。しかし、天井空調照明ユニットの高さの増加は、天井空調照明ユニットの重量及びコストの増加、冷気または暖気が供給される内部空間の拡大による空調負荷の増加、室内空間の実質的な高さの減少などを引き起こす可能性がある。
【０００６】
本発明は、均一な明るさを得ることができ且つ高さを抑えることが可能な、放射空調方式の天井空調照明ユニットを提供することを目的とする。
【課題を解決するための手段】
【０００７】
本発明の天井空調照明ユニットは、空気が導入される内部空間を備えた、天井に取り付けられる空気導入ユニットと、内部空間において空気導入ユニットの側壁に取り付けられた光源と、を有している。空気導入ユニットの下面は光透過膜で形成されている。
【発明の効果】
【０００８】
内部空間に導入された空気によって光透過膜の温度が調整され、所定の温度に調整された光透過膜からの輻射熱により放射空調が実現される。また、光源が空気導入ユニットの側壁に取り付けられ、空気導入ユニットの下面が光透過膜で形成されているため、光源から出射した光は空気導入ユニットの内部空間で反射を繰り返した後に光透過膜に入射し、光透過膜で拡散される。従って、本発明によれば、均一な明るさを得ることができ且つ高さを抑えることが可能な、放射空調方式の天井空調照明ユニットを提供することができる。
【図面の簡単な説明】
【０００９】
【図１】第１の実施形態に係る天井空調照明システムの平面図(見上図)である。
【図２】一つのグループの天井空調照明ユニットを示す図である。
【図３】一つの天井空調照明ユニットを示す図である。
【図４】天井空調照明ユニットの部分断面図である。
【図５】第２の実施形態に係る天井空調照明ユニットを示す図である。
【図６】第３の実施形態に係る天井空調照明システムの平面図(見上図)である。
【図７】図６に示す天井空調照明ユニットを示す図である。
【図８】図６に示す天井空調照明ユニットの斜視図である。
【図９】図６に示す天井空調照明システムの変形例の平面図(見上図)である。
【図１０】第４の実施形態に係る天井空調照明システムの断面図である。
【発明を実施するための形態】
【００１０】
図面を参照して、本発明の天井空調照明システム１と天井空調照明ユニット２のいくつかの実施形態を説明する。以下の説明及び図面において、Ｘ方向とＹ方向は互いに直交する水平方向を意味し、Ｚ方向は鉛直方向を意味する。Ｙ方向は専用給気ダクト５ａが延びる方向であり、Ｘ方向はＹ方向と直交する方向である。また、各図において実線矢印は空気の流れを、破線矢印は光路を概念的に示す。
【００１１】
（第１の実施形態）
図１は本発明の第１の実施形態に係る天井空調照明システム１の平面図(見上図)である。天井空調照明システム１は天井１００（図２参照）に取り付けられた複数の天井空調照明ユニット２を備えている。各天井空調照明ユニット２はＺ方向にみて矩形の平面形状を有し、これらの天井空調照明ユニット２は互いに隙間を介して格子状に配列されている。それぞれの天井空調照明ユニット２の平面寸法は一例では１．５ｍ×１．５ｍ程度の正方形で、天井１００の大きさに応じて適切な数の天井空調照明ユニット２を組み合わせることができる。すべての天井空調照明ユニット２を同じ間隔で配置することもできるが、本実施形態では２行２列の天井空調照明ユニット２を一つのグループ３として、グループ３同士の間隔Ｇ１をグループ３内の天井空調照明ユニット２同士の間隔Ｇ２より大きくしている。これによって隣接するグループ３間の隙間に、非常用照明、火災報知機、スピーカ等の天井設置物４を配置することができる。天井空調照明ユニット２の平面形状は正方形に限定されず、例えば長方形、台形、平行四辺形、三角形、六角形などの任意の多角形でもよく、あるいは円形、楕円形などの任意の曲線形状でもよい。天井空調照明ユニット２の配置方法は少なくとも間隙Ｇ１、好ましくはさらに間隔Ｇ２が確保される限り限定されないが、できるだけ規則的に配置することが好ましい。例えば六角形である場合、複数の天井空調照明ユニット２は蜂の巣状に配置することができる。
【００１２】
天井空調照明ユニット２と天井１００との間には給気ダクト５が設けられている。給気ダクト５は空気供給手段６に接続されている。空気供給手段６は、暖気及び冷気を供給する空調機７と、その下流に位置する送風機８と、送風機８の下流に位置するフィルタ９と、を有している。給気ダクト５は専用給気ダクト５ａと共通給気ダクト５ｂとに区分されている。専用給気ダクト５ａは個々の天井空調照明ユニット２毎に設けられ、個々の天井空調照明ユニット２の空気導入口１２ｃ（図２参照）に接続されている。専用給気ダクト５ａはＹ方向に延びている。共通給気ダクト５ｂは個々の専用給気ダクト５ａを空気供給手段６に接続する。共通給気ダクト５ｂは専用給気ダクト５ａの上方をＸ方向に延びる部分５１と、Ｘ方向に延びる部分５１を専用給気ダクト５ａに接続し上下方向（Ｚ方向）に延びる部分５２（図２参照）と、からなっている。専用給気ダクト５ａの共通給気ダクト５ｂとの接続部と反端側の端部はキャップ５ｄで閉じられている。
【００１３】
図２（ａ）は一つのグループ３の天井空調照明ユニット２の平面図、図２（ｂ）は図２（ａ）のＡ−Ａ線からみた断面図、図２（ｃ）は図２（ａ）のＢ−Ｂ線からみた断面図である。図３（ａ）は図２（ｂ）のＡ部拡大図、図３（ｂ）は図２（ｃ）のＢ部拡大図である。図４は図３（ａ）のＣ部拡大図である。以下、個々の天井空調照明ユニット２の構成について説明する。
【００１４】
天井空調照明ユニット２は内部空間１０が形成された空気導入ユニット１１を有している。空気導入ユニット１１は本体フレーム１２と膜フレーム１３とから構成されている。本体フレーム１２は固定用部材１４によって天井１００に固定されている。
【００１５】
本体フレーム１２は、天板１２ａと天板１２ａに固定された側壁１２ｂとを備え、下側が開口したボックス形状のフレームである。側壁１２ｂはコの字状のフランジ部材である。本体フレーム１２は軽量化のため、アルミニウムの薄板で形成されている。天板１２ａには内部空間１０に空気を導入する空気導入口１２ｃが形成されている。空気導入口１２ｃは本体フレーム１２の上面、すなわち天板１２ａをＹ方向に横断するスリットである。空気導入口１２ｃはメッシュ状のカバー１５で覆われている。カバー１５はＹ方向に細長い通気性のある繊維からなり、好ましくは本体フレーム１２の内部空間１０に面する内壁と同様の色合いで形成されている。空気導入口１２ｃには専用給気ダクト５ａが接続されている。専用給気ダクト５ａの給気口５ｃは空気導入口１２ｃに対応したスリット状の開口であり、空気はほぼ天井空調照明ユニット２のＹ方向の一端と他端の間の全区間から内部空間１０に供給される。光源１９からの光を反射させる照明反射板１２ｄが空気導入口１２ｃに沿って天板１２ａの下面に固定されている。図２（ｂ）に示すように、天井設置物４は、隣接するグループ３の天井空調照明ユニット２の天板１２ａ間に設置された支持板１６に支持されている。これによって、天井設置物４が天井空調照明ユニット２に遮蔽されることを防止することができる。
【００１６】
膜フレーム１３はアルミニウムからなる側壁１３ａと、側壁１３ａの下端に固定された光透過膜１３ｂと、を有している。すなわち、空気導入ユニット１１の下面は光透過膜１３ｂで形成されている。光透過膜１３ｂは不燃性の膜であり、ガラス繊維織物の基材に四フッ化エチレン樹脂、塩化ビニル樹脂、クロロプレンゴム、クロロスルフォン化ポリエチレンゴムなどがコーティングされたものである。光透過膜１３ｂは主に輻射による冷暖房を行うため通気性は不要であるが、通気性を与えて輻射だけでなく微風による冷暖房を行うようにしてもよい。また、光透過膜１３ｂはほぼ水平に設けられているが、多少下側に撓ませ意匠性を高めてもよい。
【００１７】
膜フレーム１３は側壁１３ａの上面に設けられた複数の固定具１７によって本体フレーム１２に取り付けられている。固定具１７は側壁１３ａの上面に所定の間隔で離散的に設けられている。固定具１７の種類は限定されないが、一例としていわゆるＶばねを用いることができる。Ｖばねは針金を中央部で螺旋状に巻き、両側がＶ字状に開くように成形したものである。中央部の螺旋部が本体フレーム１２に、両端が膜フレーム１３に取り付けられ、螺旋部と両端の間の部分が膜フレーム１３に設けられた受金具（図示せず）に通されている。通常はＶばねの外側に開く弾性力によって、膜フレーム１３が本体フレーム１２に保持される。ＶばねをＶ字が狭くなるように変形させることで、Ｖばねを受金具から外し、膜フレーム１３を本体フレーム１２から取り外すことができる。本体フレーム１２と膜フレーム１３との間、すなわち空気導入ユニット１１の側壁には、少なくとも固定具１７が取り付けられた部位を除き、Ｘ方向及びＹ方向に延びるスリット状の間隙Ｇ３が形成され、膜フレーム１３は間隙Ｇ３を介して本体フレーム１２に取り付けられる。間隙Ｇ３は実質的に天井空調照明ユニット２の全周に沿って形成され、空気が内部空間１０から室内に吹き出す空気吹き出し口１８を形成する。
【００１８】
内部空間１０には、本体フレーム１２の側壁１２ｂに複数の光源１９が取り付けられている。光源１９の種類は限定されないが、省エネルギー性能に優れたＬＥＤを用いることが好ましい。複数の光源１９は共通の支持具２０に固定されてＹ方向に一列で配列している。光源１９の光軸は側壁１２ｂと直交する方向、すなわちＸ方向を向いているが、支持具２０はそのＹ方向に延びる長軸２０ａを回転軸として回転することができる。これによって複数の光源１９の光軸の向きを同時に調整することができる。複数の光源１９をいくつかのグループに分け、各グループの光源１９を専用の支持具２０に固定してもよい。これによって、光源１９の光軸の向きをグループごとに調整することができる。あるいは個々の光源１９を専用の支持具２０に固定し、光源１９ごとに光軸を調整するようにしてもよい。
【００１９】
天井空調照明システム１の運転時（ここでは冷房の場合を例にとって説明する）には、空調機７で作られた冷気が送風機８とフィルタ９を通って共通給気ダクト５ｂに流入する。共通給気ダクト５ｂに流入した冷気は専用給気ダクト５ａ及び空気導入口１２ｃを通って、個々の天井空調照明ユニット２の内部空間１０に流入する。内部空間１０に流入した冷気は光透過膜１３ｂを冷却し、光透過膜１３ｂによる輻射冷却が行われる。冷気の温度は人間の体温より低い温度に設定される。これによって、人間が放射によって失うエネルギーが発熱および吸収するエネルギーよりも大きくなり、所望の冷房効果が得られる。内部空間１０の冷気は本体フレーム１２と膜フレーム１３との間の空気吹き出し口１８から室内に吹き出され、この冷気の流れによっても室内が冷却される。上述の通り空気吹き出し口１８は各天井空調照明ユニット２の４辺のほぼ全長に沿って形成されているため、冷気の流れは局所的な流れというよりはむしろ均一な流れである。また、冷気は天井空調照明システム１のほぼ全域から吹き出されるため、冷気の風速も非常に小さい。従って、冷気の流れによって快適性が阻害される可能性は小さい。室内に流入した冷気は必要に応じて室内の排気口（図示せず）から空調機７に戻して循環させてもよいし、室外に排出してもよい。
【００２０】
また、光源１９が本体フレーム１２の側壁１２ｂに設置されているため、光源１９から出射した光の多くは直接光透過膜１３ｂに照射されず、本体フレーム１２で反射を繰り返し、その後光透過膜１３ｂに照射される。光の一部は膜フレーム１３の側壁１３ａと光透過膜１３ｂでも反射される。光の広がりの大きな光源１９を選ぶことにより、光源１９からの光が光透過膜１３ｂに実質的に均一に照射されるが、反射を繰り返す間に光がさらに均一化され、光透過膜１３ｂの表面における明暗のばらつきを抑えることができる。図示は省略するが、光源１９をやや下向き（膜フレーム１３側）にすることで、光透過膜１３ｂの表面における明暗のばらつきをさらに抑えることができる。これに対し、光源１９を本体フレーム１２の側壁１２ｂでなく天板１２ａに設置した場合、光源１９の光軸が鉛直方向となるため、光の多くは内部空間１０で反射することなく直接光透過膜１３ｂに照射される。この結果、光透過膜１３ｂの表面における明暗のばらつきが生じやすい。明暗のばらつきは局所的な照度の低下を招くとともに点灯時の意匠性を阻害する。これを避けるには光源１９と光透過膜１３ｂとの間の距離を大きくすることが考えられる。しかし、それによって内部空間１０が大きくなるため、空調負荷が増大しエネルギーの節約が困難となる。また、本体フレーム１２の高さが増加するため、本体フレーム１２のコストが増加する。本体フレーム１２の重量の増加により、天井空調照明ユニット２が地震などによって万が一落下したときの被害が拡大する可能性もある。さらに、室内の実質的な高さが拡大し、快適性を阻害する要因となる。本実施形態の天井空調照明システム１ないし天井空調照明ユニット２は光源１９を本体フレーム１２の側壁１２ｂに設置しているため、空気導入ユニット１１の高さを抑えることが可能であり、このような課題に容易に対処できる。一例では、天井空調照明ユニット２の高さは１５ｃｍ程度に収めることができる。
【００２１】
光透過膜１３ｂは経年変化によって黄ばみ、当初の色温度を維持することが困難となる場合がある。しかし、光源１９として色温度が調整可能なＬＥＤなどを採用することで、当初の色温度を維持することが容易である。光源１９の光軸を調整することで光透過膜１３ｂの黄ばみを目立ちにくくすることもできる。
【００２２】
本実施形態では本体フレーム１２の空気導入口１２ｃと専用給気ダクト５ａの給気口５ｃはスリット状の開口であるため、光透過膜１３ｂを通してこれらの影が見えることがある。すなわち、空気導入口１２ｃに侵入した光は専用給気ダクト５ａの給気口５ｃから専用給気ダクト５ａの内部に入り、一部の光しか内部空間１０に戻らないため、光透過膜１３ｂの一部が周りより暗く見えることがある。換言すれば、光透過膜１３ｂの一部に筋状の暗部が見えることがある。本実施形態では、専用給気ダクト５ａの内部に入る光の一部が空気導入口１２ｃを覆うメッシュ状のカバー１５で反射されるため、筋状の暗部が見えにくい。カバー１５自体も本体フレーム１２の内部空間１０に面する内壁と同様の色合いで形成されているため、一層暗部が目立たなくなる。
【００２３】
さらに、給気ダクト５の空気導入口１２ｃと対向する区間の内面を鏡面にすることもできる。このような給気ダクト５として、外光を導入するために用いられる光ダクトを利用することができる。また、図３に示すように、専用給気ダクト５ａの空気導入口１２ｃと対向する区間にダクト内光源２１を設けてもよい。専用給気ダクト５ａの内部に入って失われる光を補償する程度の光量の光源２１を設けることで、光透過膜１３ｂの筋状の暗部を目立たなくすることができる。
【００２４】
（第２の実施形態）
図５を参照して、本発明の第２の実施形態について説明する。説明を省略した構成、効果等については第１の実施形態と同様である。図５は本発明の第２の実施形態に係る天井空調照明ユニット２を示す図である。図５（ａ）は図２（ａ）と同様、一つのグループ３の天井空調照明ユニット２の平面図を示している。図５（ｂ），（ｃ）は天井空調照明ユニット２の端部を示す、図５（ａ）のＢ−Ｂ線に沿った断面図である。
【００２５】
本体フレーム１２と膜フレーム１３との間の間隙（空気吹き出し口１８）からは埃や虫が侵入することがある。運転中は空気吹き出し口１８から冷気が吹き出しており、給気に含まれる塵埃もフィルタ９で除去されるため、このような現象は生じにくいが、天井空調照明システム１の停止時には埃や虫の侵入が生じやすい。本実施形態では、膜フレーム１３の側壁１３ａに開閉可能な蓋部材２２が設けられている。蓋部材２２は通常はばね（図示せず）の付勢力で閉じられているが、図５（ｂ）に示すように外から押すことで付勢力に抗して内部空間１０に押し込まれるようにされている。図５（ｃ）に示すように、バキュームダクト２３で蓋部材２２を押し込むことでバキュームダクト２３を内部空間１０に接続することができる。バキュームダクト２３を定期的に内部空間１０に接続し、内部空間１０を室内に対して負圧とすることで、内部空間１０に滞留した埃や虫の死骸を吸引して除去することができる。蓋部材２２はできるだけ内部空間１０に均等に設置することが好ましく、本実施形態では本体フレーム１２の空気導入口１２ｃの延びる方向（Ｙ方向)における両側の側壁１３ａに、かつ空気導入口１２ｃのＸ方向における両側に合計４つの蓋部材２２が設けられている。
【００２６】
さらに、専用給気ダクト５ａの共通給気ダクト５ｂとの境界部の近傍にはダンパ２４が設けられている。ダンパ２４は専用給気ダクト５ａの入口付近に設けられる。例えば、図５（ａ）の左上の天井空調照明ユニット２の清掃を行うときは、この天井空調照明ユニット２に繋がる共通給気ダクト５ｂから分岐する他の天井空調照明ユニット２のダンパ２４をすべて閉じ、この天井空調照明ユニット２のダンパ２４だけを開く。これによって、他の天井空調照明ユニット２への空気流が遮断され、共通給気ダクト５ｂを流れる空気の全量がこの天井空調照明ユニット２に流入する。従って、空調機７の風量を高めなくても、この天井空調照明ユニット２に供給される空気の流量を効率的に高めることができる。空気の流量が不足するときは空調機７の風量を高めることもできる。天井空調照明ユニット２に供給される風量を高めることで内部空間１０の空気を攪拌し、それによって舞い上がった埃や虫の死骸をバキュームダクト２３で吸引することで、埃や虫の死骸を効率的に除去することができる。
【００２７】
（第３の実施形態）
図６〜８を参照して、本発明の第３の実施形態について説明する。説明を省略した構成、効果等については第１の実施形態と同様である。図６は本発明の第３の実施形態に係る天井空調照明システム１の平面図(見上図)である。図７（ａ）は一つの天井空調照明ユニット２の平面図、図７（ｂ）は図７（ａ）のＡ−Ａ線からみた断面図、図７（ｃ）は図７（ａ）のＢ−Ｂ線からみた断面図である。図８は天井空調照明ユニット２の斜め上方からみた斜視図であり、天井１００と固定用部材１４の図示は省略している。本実施形態では天井空調照明ユニット２のグループ３は設けられておらず、Ｘ方向に延びる一列の天井空調照明ユニット２に対して一つの共通給気ダクト５ｂが設けられている。共通給気ダクト５ｂからは各天井空調照明ユニット２に空気を供給する専用給気ダクト５ａが分岐している。また、本実施形態では第１の実施形態と異なり、専用給気ダクト５ａと共通給気ダクト５ｂが同一の水平位置に設けられている。従って、ダクトの設置高さが抑制され、室内の実質的な高さを確保することが容易である。天井空調照明ユニット２間の間隔Ｇ１は第１の実施形態における天井空調照明ユニット２のグループ３間の間隔と同じであるが、天井設置物４の配置が不要なところは天井空調照明ユニット２間の間隔を縮めることができる。
【００２８】
図９は本実施形態の変形例を示す図６と同様の図である。本実施形態では専用給気ダクト５ａが省略されている。図示は省略するが、空気導入口１２ｃはＸ方向に配置され、これに伴い、空気導入口１２ｃと連通する給気口５ｃは共通給気ダクト５ｂに設けられている。本実施形態は専用給気ダクト５ａが不要になるため、ダクト構造の簡略化が可能となる。
【００２９】
（第４の実施形態）
図１０を参照して、本発明の第４の実施形態について説明する。説明を省略した構成、効果等については第１の実施形態と同様である。図１０は第４の実施形態に係る天井空調照明システムの図３と同様の断面図である。本実施形態では専用給気ダクト１０５ａは空気導入ユニット２の内部に設けられている。専用給気ダクト１０５ａは下方に向かってＸ方向の幅が減少する半円形の断面形状を有している。専用給気ダクト１０５ａは表面に空気の吹き出し口２５を備える。吹き出し口２５は専用給気ダクト１０５ａの長軸と平行な断面において複数の角度位置に設けられている。図示は省略するが、吹き出し口２５は専用給気ダクト１０５ａの長軸に沿っても、一定の間隔で設けられている。共通給気ダクトは専用給気ダクト１０５ａの上部、すなわち本体フレーム１２の天板１２ａの上方に設けてもよいし、専用給気ダクト１０５ａと同一の水平位置に設けてもよい。後者の場合、ダクトの必要設置高さを事実上ゼロにすることができる。更に、図９に示すような平面配置にすると、共通給気ダクトの大半を省略することもでき、この場合もダクトの必要設置高さを事実上ゼロにすることができる。
【００３０】
本実施形態においても、光源１９をやや下向き（膜フレーム１３側）にすることで、光透過膜１３ｂの表面における明暗のばらつきをさらに抑えることができる。専用給気ダクト１０５ａの内面を鏡面にしてもよい。これによって、吹き出し口２５から専用給気ダクト１０５ａの内部に進入した光を専用給気ダクト１０５ａの外部に反射させ、専用給気ダクト１０５ａを目立たせにくくすることができる。専用給気ダクト１０５ａの外面を本体フレーム１２の天板１２ａや側壁１２ｂと同様の材料で形成し、光を反射、拡散させることもできる。また、専用給気ダクト１０５ａの外面を白色または空気導入ユニット１１の内部空間１０に面する面（すなわち、本体フレーム１２の天板１２ａや側壁１２ｂの内部空間１０に面する内面）と同様の色または同色とすることもできる。これらの方法によっても、専用給気ダクト１０５ａを目立たせにくくすることもできる。専用給気ダクト１０５ａは金属等の剛性の高い材料で作成することもできるが、ポリエステル布などの可撓性のある材料で形成された所謂ソックダクト（ソックスダクト）を専用給気ダクト１０５ａとして用いることもできる。
【符号の説明】
【００３１】
１  天井空調照明システム
２  天井空調照明ユニット
５  給気ダクト
５ａ，１０５ａ  専用給気ダクト
５ｂ  共通給気ダクト
１０  内部空間
１１  空気導入ユニット
１２  本体フレーム
１２ａ  天板
１２ｂ  側壁
１２ｃ  空気導入口
１３  膜フレーム
１３ａ  側壁
１３ｂ  光透過膜
１５  カバー
１７  固定具
１８  空気吹き出し口
１９  光源
２１  ダクト内光源
２２  蓋部材
２３  バキュームダクト
２４  ダンパ
２５  吹き出し口
１００  天井
Ｇ３  間隙
【図１】
2019175725.tif 000003
【図２】
2019175725.tif 000004
【図３】
2019175725.tif 000005
【図４】
2019175725.tif 000006
【図５】
2019175725.tif 000007
【図６】
2019175725.tif 000008
【図７】
2019175725.tif 000009
【図８】
2019175725.tif 000010
【図９】
2019175725.tif 000011
【図１０】
2019175725.tif 000012